(57)【要約】【課題】停電時などに非常用の照明として使用することができ、しかも小型化および低コスト化が図れるインターホン親機を提供することにある。【解決手段】インターホン親機１は、カメラ部２０を有するドアホン子器２とともにインターホンシステムを構成するものであって、ドアホン子器２のカメラ部２０で撮像された映像を表示する映像表示部１０ａを有した表示手段１０と、ドアホン子器２との間で通話を行う通話手段１２と、常用電源ＡＣより得た電力を元にして動作電源を生成する電源回路部１３と、常用電源ＡＣからの給電の有無により停電の検出を行う停電検出部１５と、停電検出部１５により停電が検出されると給電を開始する非常電源部１６とを備え、映像表示部１０ａは、映像の表示に使用する発光源を有し、表示手段１０は、停電検出時に非常電源部１６から供給される電力により、映像表示部１０ａの発光源を発光させる。【選択図】図１
2009159095.tif 000002
【特許請求の範囲】
【請求項１】
撮像手段を有するドアホン子器とともにインターホンシステムを構成するインターホン親機であって、
ドアホン子器の撮像手段で撮像された映像を表示する映像表示部を有した表示手段と、ドアホン子器との間で通話を行う通話手段と、常用電源より得た電力を元にして動作電源を生成する電源回路部と、常用電源からの給電の有無により停電の検出を行う停電検出部と、停電検出部により停電が検出されると給電を開始する非常電源部とを備え、
映像表示部は、映像の表示に使用する発光源を有し、停電検出時には非常電源部から供給される電力により、発光源を発光させることを特徴とするインターホン親機。
【発明の詳細な説明】
【技術分野】
【０００１】
本発明は、ドアホン子器とともにインターホンシステムを構成するインターホン親機に関するものである。
【背景技術】
【０００２】
従来から、住宅（住戸）の玄関などに設置されるドアホン子器と、室内に設置されるインターホン親機との間で通話を行うインターホンシステムが提供されている。近年では、防犯意識の向上により、訪問者（外来者）の顔を確認するための撮像手段（カメラ装置）を備えるものも普及している（例えば、特許文献１参照）。
【０００３】
特許文献１には、カメラ装置を有し玄関に設置されたドアホン子器（玄関子機）と、住戸内に設置されドアホン子器のカメラ装置にて撮像された映像を表示するための映像表示部（モニタ）を有するインターホン親機（居室親機）とを備えたものが開示されている。
【０００４】
このインターホン親機は、来訪者との間の通話などを行うためのスピーカや、居住者が来訪者との間で通話するためのマイク、ドアホン子器からの呼び出しに対する応答操作などを行うための操作部などを備えている。
【０００５】
ここで、特許文献１に示すインターホン親機には、乾電池や、蓄電池、スーパーキャパシタ、バッテリなどの蓄電部が設けられるとともに、当該蓄電部からの電力供給により点灯する非常照明灯が設けられている。この非常照明灯は、停電時に点灯される。
【特許文献１】特開２００７−１７４１４７号公報
【発明の開示】
【発明が解決しようとする課題】
【０００６】
上記特許文献１に示すインターホン親機は、停電時に非常照明灯が点灯するので、インターホン親機を非常用の照明として使用することができるから、例えば夜間に停電した場合でも、居住者などの人物が安全に移動することができるようになっている。
【０００７】
しかしながら、上記特許文献１に示すものでは、非常照明灯をインターホン親機に新たに設ける必要があるため、インターホン親機が大型化し、製造コストが高くなってしまうという問題がある。
【０００８】
本発明は上述の点に鑑みて為されたもので、その目的は、停電時などに非常用の照明として使用することができ、しかも小型化および低コスト化が図れるインターホン親機を提供することにある。
【課題を解決するための手段】
【０００９】
上記の課題を解決するために、請求項１の発明では、撮像手段を有するドアホン子器とともにインターホンシステムを構成するインターホン親機であって、ドアホン子器の撮像手段で撮像された映像を表示する映像表示部を有した表示手段と、ドアホン子器との間で通話を行う通話手段と、常用電源より得た電力を元にして動作電源を生成する電源回路部と、常用電源からの給電の有無により停電の検出を行う停電検出部と、停電検出部により停電が検出されると給電を開始する非常電源部とを備え、映像表示部は、映像の表示に使用する発光源を有し、停電検出時には非常電源部から供給される電力により、発光源を発光させることを特徴とする。
【００１０】
請求項１の発明によれば、停電検出時には非常電源部から供給される電力により映像表示部の発光源が発光するから、停電時などに非常用の照明として使用することができ、しかも、ドアホン子器の撮像手段で撮像した映像の表示に使用される映像表示部の発光源を非常用の照明として利用するので、非常用の照明灯を新たに設けなくて済むから、小型化および低コスト化が図れる。
【発明の効果】
【００１１】
本発明は、停電時などに非常用の照明として使用することができ、しかも小型化および低コスト化が図れるという効果を奏する。
【発明を実施するための最良の形態】
【００１２】
（実施形態１）
本実施形態のインターホン親機１は、図１に示すように、ＣＣＤイメージセンサやＣＭＯＳイメージセンサを利用したカメラ装置からなるカメラ部２０を有するドアホン子器２とともにインターホンシステムを構成するインターホン親機である。
【００１３】
ここで、ドアホン子器２は、伝送ライン（信号線）Ｌによりインターホン親機１と接続されており、この伝送ラインＬを介してインターホン親機１と通信を行う。ドアホン子器２は、上述したカメラ部２０と、カメラ部２０が出力する映像信号を伝送ラインＬによりインターホン親機１に伝送する映像伝送部２１と、インターホン親機１との間で通話を行う通話手段２２と、来訪者が操作する呼出釦（図示せず）などを備えた操作部２３と、操作部２３の操作などに応じてドアホン子器２の全体的な制御を行う制御部２４と、伝送ラインＬを介してインターホン親機１から電力の供給を受けてドアホン子器２の各部に給電する電源受電部２５とを備えている。
【００１４】
通話手段２２は、入力された音声を電気信号に変換して音声信号として出力する音声入力手段であるマイクロホン２２ａと、入力された音声信号を元にして音声を出力する音声出力手段であるスピーカ２２ｂと、通話回路部２２ｃとを有している。通話回路部２２ｃは、マイクロホン２２ａより得た音声信号を伝送ラインＬによりインターホン親機１に送信する機能と、伝送ラインＬより音声信号（つまりインターホン親機１が伝送ラインＬに出力した音声信号）を受信してスピーカ２２ｂに出力する機能とを有している。また、通話回路部２２ｃは、伝送ラインＬにより呼出信号をインターホン親機１に送信する機能と、インターホン親機１が伝送ラインＬに送出する応答信号を受信すると制御部２４に通知する機能とを有している。
【００１５】
制御部２４は、例えばＣＰＵを備えたマイクロコンピュータなどからなり、主として通話回路部２２ｃと映像伝送部２１との制御を行う。例えば、制御部２４は、操作部２３の呼出釦が操作されると、通話回路部２２ｃに呼出信号を送信させ、その後に、通話回路部２２ｃより応答信号を受信した旨が通知されると、インターホン親機１との通話が確立されたと判定する。この場合、制御部２４は、カメラ部２０、マイクロホン２２ａ、およびスピーカ２２ｂを起動し、通話回路部２２ｃにおいては音声信号の送受信を、映像伝送部２１においては映像信号の送信を開始させる。なお、伝送ラインＬは、映像信号の伝送を行う映像線と、音声信号の伝送を行う音声線と、電力の供給に用いる給電線とを兼用するものであり、このように複数の信号を重畳する方法は従来から種々提供されているから、詳細な説明は省略する。
【００１６】
インターホン親機１は、ドアホン子器２のカメラ部２０で撮像された映像を表示する表示手段１０と、伝送ラインＬを介してドアホン子器２の映像伝送部２１より映像信号を受信し、受信した映像信号に対して復調などの必要な処理を行ってから、後述する映像表示部１０ａに出力する映像受信部１１と、ドアホン子器２との間で通話を行う通話手段１２と、交流電源（一例としては商用電源）よりなる常用電源ＡＣの交流電力を元にしてインターホン親機１の動作電源（所定電圧の直流電源）を生成する電源回路部１３と、電源回路部１３で生成された動作電源をドアホン子器２に適した電圧に調整して伝送ラインＬを経由してドアホン子器２に供給する給電回路部１４と、常用電源ＡＣからの給電の有無により停電の検出を行う停電検出部１５と、停電時に電力（本実施形態の場合は直流電力）を供給する非常電源部１６と、応答釦（図示せず）などを備えた操作部１７と、操作部１７の操作などに応じてインターホン親機１全体の制御を行う制御部１８とを備えている。
【００１７】
表示手段１０は、入力された映像信号に応じた映像を表示する前述の映像表示部１０ａと、電源回路部１３より得られる動作電源を元にして映像表示部１０ａ用の駆動電源を生成して映像表示部１０ａに供給する映像表示用電源部１０ｂとを備えている。映像表示部１０ａとしては、映像の表示に使用する発光源（図示せず）を有するものを使用している。このような映像表示部１０ａの例としては、透過型の液晶ディスプレイ（ＬＣＤ）が挙げられる。透過型の液晶ディスプレイは、液晶パネルと液晶パネルを背後から照らすバックライトとを有し、このバックライトが上記発光源となる。
【００１８】
通話手段１２は、音声入力手段であるマイクロホン１２ａと、音声出力手段であるスピーカ１２ｂと、通話回路部１２ｃとを有している。ここで、通話回路部１２ｃは、マイクロホン１２ａより得た音声信号を伝送ラインＬによりドアホン子器２に送信する機能と、伝送ラインＬより音声信号（つまりドアホン子器２が伝送ラインＬに出力した音声信号）を受信してスピーカ１２ｂに出力する機能とを有している。また、通話回路部１２ｃは、ドアホン子器２が伝送ラインＬに送出する呼出信号を受信すると制御部１８に通知する機能と、伝送ラインＬにより応答信号をドアホン子器２に送信する機能とを有している。
【００１９】
電源回路部１３は、常用電源ＡＣより得た交流電力を元に上記動作電源を生成する機能を有する他、非常電源部１６より得られた直流電力を元にして上記動作電源を生成する機能を有している。なお、電源回路部１３や給電回路部１４は、ＡＣ／ＤＣコンバータや、ＤＣ／ＤＣコンバータなど従来周知の回路を利用することで構成することができる。なお、本実施形態では、インターホン親機１よりドアホン子器２に給電しているが、ドアホン子器２は必ずしもインターホン親機１より給電される必要はなく、別の系統から給電されるようにしてもよい。この場合、給電回路部１４は不要となる。
【００２０】
停電検出部１５は、例えば、電流センサ（一例としてはカレントトランス）や電圧センサ（例えば静電電圧計や電子電圧計など）を有しており、これらのセンサを利用して常用電源ＡＣから供給される電力を計測し、その電力量が所定量に満たなければ、交流電力が供給されていない停電時であると判定する。このように停電検出部１５は、常用電源ＡＣが供給する交流電力の有無により停電の検出を行う。そして、停電検出部１５は停電を検出すると、停電が発生したことを制御部１８に通知する。
【００２１】
非常電源部１６は、例えば、二次電池からなるバッテリ（図示せず）と、当該バッテリを電源回路部１３の上記動作電源を利用して充電する充電回路（図示せず）と、バッテリの直流電力を電源回路部１３に出力する放電回路（図示せず）と、バッテリの充電量を検出する充電量検出部（図示せず）とからなる。この非常電源部１６では、充電回路と、放電回路とが制御部１８により制御される。なお、非常電源部１６のバッテリは一次電池であってもよく、この場合、非常電源部１６は、一次電池からなるバッテリと、放電回路とからなる。また、このような非常電源部１６は従来周知の構成を採用することができるから詳細な説明は省略する。
【００２２】
制御部１８は、例えばＣＰＵを備えたマイクロコンピュータなどからなり、主として、表示手段１０、映像受信部１１、通話回路部１２ｃ、給電回路部１４、および非常電源部１６の制御を行う。本実施形態における制御部１８は、停電が検出されていない常時（停電から復帰したときを含む）は、非常電源部１６の充電回路によりバッテリを充電する。このような常時において、制御部１８は、通話回路部１２ｃより呼出信号を受信したことが通知されると、スピーカ１２ｂを起動し鳴動させることで、ドアホン子器２より呼び出されたとこを居住者に通知する。その後、所定の応答時間経過前に応答釦が操作されると、制御部１８は、通話回路部１２ｃに応答信号を送信させるとともに、マイクロホン１２ａと、表示手段１０とを起動する。ここで、映像表示手段１０の起動は、映像表示用電源部１０ｂより映像表示部１０ａに給電を開始させることにより行う。これによって、インターホン親機１とドアホン子器２との間の通話が確立されるとともに、ドアホン子器２のカメラ部２０で撮像された映像が、映像表示部１０ａで表示される。
【００２３】
次に、停電時の動作について図２に示すフローチャートを参照して説明する。停電検出部１５において停電が検出され、停電検出部１５より停電を検出した旨が通知されると（ステップＳ１）、制御部１８は、非常電源部１６の放電回路によりバッテリを放電させ、バッテリの直流電力を電源回路部１３に供給する。そして、バッテリからの給電時においては、制御部１８は、非常電源部１６の充電量検出部より検出したバッテリの充電量が規定量以上であるか否かを判定する（ステップＳ２）。その結果、バッテリの充電量が規定量以上であれば、映像表示用電源部１０ｂを起動して映像表示用電源部１０ｂより映像表示部１０ａに給電を開始させ（ステップＳ３）、その後に、映像表示部１０ａを制御して発光源（本実施形態ではバックライト）を点灯させる（ステップＳ４）。すなわち、本実施形態のインターホン親機１では、映像表示部１０ａは、停電検出時には非常電源部１６から供給される電力により、発光源を発光させる。
【００２４】
一方、ステップＳ２において、バッテリの充電量が規定量未満であるときには、映像表示用電源部１０ｂより映像表示部１０ａに給電を行わせず、常用電源ＡＣが復電するまで待機する（ステップＳ５）。なお、ステップＳ５においては、非常電源部１６のバッテリの消費を抑制するために、制御部１８により給電回路部１４を停止させて、ドアホン子器２への給電を停止することで、ドアホン子器２との間の通話などの機能を制限するようにしてもよい。
【００２５】
以上述べたように、本実施形態のインターホン親機１によれば、停電検出時には非常電源部１６から供給される電力により映像表示部１０ａの発光源（上記の例の場合はバックライト）が発光するから、停電時などに非常用の照明として使用することができ、夜間に停電した場合でも、居住者（住戸人）などが安全に移動することができ、活動に不憫が生じることがなく、その活動を補助することが可能となる。しかも、ドアホン子器２のカメラ部２０で撮像した映像の表示に使用される映像表示部１０ａの発光源を非常用の照明として利用するので、従来例（上記特許文献１）とは異なり非常用の照明灯を新たに設けなくて済むから、小型化および低コスト化が図れる。
【００２６】
このような本実施形態のインターホン親機１はあくまでも一例であって、本実施形態を上記の構成に限定する趣旨ではなく、本発明の趣旨を逸脱しない範囲で変更してもよい。例えば、上記の例では、停電検出時には、単にバックライトを点灯するとしたが、バックライトとともに液晶パネルを駆動することによって、任意の映像、例えば停電中であることを報知する映像を表示するようにしてもよい。このように任意の映像を表示するにあたっては、インターホン親機１が照明としての機能を果たすことができる映像を表示させることが好ましい。また、映像表示部１０ａとしては、上述した透過型の液晶ディスプレイの他に、フロントライトやサイドライトを有する半透過型の液晶ディスプレイでもよく、この場合、フロントライトやサイドライトが上記発光源となる。また、映像表示部１０ａは、上記の透過型や半透過型の液晶ディスプレイに限定されず、これらの他、映像表示部１０ａとしては、ＣＲＴディスプレイや、プラズマディスプレイ、有機ＥＬディスプレイなどの自発光型のディスプレイを採用することができ、これら自発光型のディスプレイも採用した場合でも、上記の例と同様に、インターホン親機１を非常用の照明として利用することが可能になる。このような点は後述する実施形態２においても同様である。
【００２７】
（実施形態２）
本実施形態のインターホン親機１は、図３に示すように、表示手段１０と、映像受信部１１と、通話手段１２と、電源回路部１３と、給電回路部１４と、停電検出部１５と、非常電源部１６と、操作部１７と、制御部１８とを、上記実施形態１と同様に備えているが、表示手段１０と、停電検出部１５と、非常電源部１６と、制御部１８との動作内容が実施形態１と異なっている。なお、その他の構成については、実施形態１のものと同様であるから、これらについては同一の符号を付して説明を省略する。
【００２８】
本実施形態における非常電源部１６は、上記充電回路および上記放電回路それぞれを制御する充放電制御部（図示せず）を有し、制御部１８により制御されないようになっている点で実施形態１と異なっている。また、本実施形態における非常電源部１６のバッテリは映像表示用電源部１０ｂに給電するようになっている。
【００２９】
充放電制御部には、停電検出部１５より停電を検出した旨が通知される。つまり、本実施形態における停電検出部１５は、制御部１８ではなく非常電源部１６に停電を検出したことを通知する。
【００３０】
そして、充放電制御部は、停電検出部１５より停電を検出した旨が通知されていないときは、上記充電回路により上記バッテリを充電し、停電検出部１５より停電を検出した旨が通知された際、つまり停電が検出されると、上記放電回路により上記バッテリを放電させ、上記バッテリの直流電力を映像表示用電源部１０ｂに供給する。上記バッテリからの給電時においては、充放電制御部は、上記充電量検出部より検出した上記バッテリの充電量が規定量以上であるか否かを判定し、上記バッテリの充電量が規定量以上であるときには、上記バッテリより給電を開始する。
【００３１】
本実施形態における表示手段１０の映像表示用電源部１０ｂは、実施形態１で述べた、電源回路部１３より得られる動作電源を元にして映像表示部１０ａ用の駆動電源を生成する機能に加えて、本実施形態では、上記バッテリより供給される直流電力を元にして映像表示部１０ａ用の駆動電源を生成する機能を備える。
【００３２】
本実施形態における映像表示部１０ａには、停電判定用の端子（図示せず）が設けられており、当該端子には制御部１８より所定の電位の停電信号が入力される。ここで、停電信号がＨレベルである場合には、非停電であると判定して通常の動作（つまり、映像受信部１１より入力された映像信号を元にして映像を表示する動作）を行うが、停電信号がＬレベルである場合には停電時であると判定し、上記発光源（上記の例の場合はバックライト）のみを駆動して、上記発光源より光を放射させる。このような場合において、制御部１８は、電源回路部１３より動作電源が供給されなくなると、停電信号がＨレベルからＬレベルになり、電源回路部１３より動作電源が供給されると、停電信号がＬレベルからＨレベルになるように構成される。
【００３３】
したがって、本実施形態のインターホン親機１では、停電が検出されていない常時（停電から復帰したときを含む）は、非常電源部１６では上記充電回路により上記バッテリが充電される。このような常時においては、制御部１８は、通話回路部１２ｃより呼出信号を受信したことが通知されると、スピーカ１２ｂを起動し鳴動させることで、ドアホン子器２より呼び出されたとこを通知する。その後、所定の応答時間内に応答釦が操作されると、制御部１８は、通話回路部１２ｃに応答信号を送信させるとともに、マイクロホン１２ａと、表示手段１０とを起動する。ここで、映像表示手段１０の起動は、映像表示用電源部１０ｂより映像表示部１０ａに給電を開始させることにより行う。これによって、インターホン親機１とドアホン子器２との間の通話が確立されるとともに、ドアホン子器２のカメラ部２０で撮像された映像が、映像表示部１０ａで表示される。
【００３４】
一方、停電が検出されると、非常電源部１６は、上記充電量検出部より検出した上記バッテリの充電量が規定量以上であるか否かを判定し、その結果、上記バッテリの充電量が規定量以上であれば、映像表示用電源部１０ｂに給電を開始する。映像表示用電源部１０ｂは上記バッテリより得た直流電力により駆動電源を生成して映像表示部１０ａに供給する。そして、停電時には停電信号はＬレベルとなるため、映像表示部１０ａは、発光源を点灯させる。つまり、本実施形態のインターホン親機１においても、映像表示部１０ａは、停電検出時には非常電源部１６から供給される電力により、発光源を発光させる。
【００３５】
なお、上記バッテリの充電量が規定量未満であるときには、非常用電源部１６の上記バッテリから映像表示用電源部１０ｂには給電が行われず、映像表示部１０ａには駆動電源が供給されないから、発光源は点灯しない。
【００３６】
以上述べたように、本実施形態のインターホン親機１によれば、上記実施形態１と同様に、停電時などに非常用の照明として使用することができ、しかも小型化および低コスト化が図れる。
【図面の簡単な説明】
【００３７】
【図１】実施形態１のインターホン親機のブロック図である。
【図２】同上のインターホン親機の動作を示すフローチャートである。
【図３】実施形態２のインターホン親機のブロック図である。
【符号の説明】
【００３８】
１    インターホン親機
２    ドアホン子器
１０    表示手段
１０ａ  映像表示部
１２    通話手段
１３    電源回路部
１５    停電検出部
１６    非常電源部
ＡＣ    常用電源
【図１】
2009159095.tif 000003
【図２】
2009159095.tif 000004
【図３】
2009159095.tif 000005